(57)【要約】【課題】複数の発光素子の点灯制御を順次行う際に発生する、寄生容量の影響による各発光素子の露光量のばらつきを抑制する。【解決手段】点灯制御回路８０は、複数の発光サイリスタのそれぞれの発光特性に応じた点灯時間で、入力された画像データの各画素の値に基づいて発光サイリスタを点灯又は消灯させる制御を順次行っている。補正量ＬＵＴ９２は、点灯順序が直前の発光サイリスタが消灯してから点灯順序が次の発光サイリスタが点灯するまでの時間である点灯間隔ＴＴと、点灯時間を補正するための補正量とを対応させて記憶する。補正量計算回路９１は、点灯間隔ＴＴを算出して、算出された点灯間隔ＴＴに対応する補正量を補正量ＬＵＴ９２から取得して、点灯順序が次の発光サイリスタの点灯時間を補正するための補正量を計算する。【選択図】図１０
2018030319.tif 000002
【特許請求の範囲】
【請求項１】
複数の発光素子と、
前記複数の発光素子のそれぞれの発光特性に応じた点灯時間で、入力された画像データの各画素の値に基づいて前記発光素子を点灯又は消灯させる制御を順次行う点灯制御手段とを備え、
前記点灯制御手段は、
同一信号線に接続された複数の発光素子のうち点灯順序が直前の発光素子が消灯してから、点灯順序が次の発光素子が点灯するまでの時間に応じて、点灯順序が次の発光素子の点灯時間を補正する補正手段を有する露光装置。
【請求項２】
前記補正手段は、点灯順序が直前の発光素子が消灯してから点灯順序が次の発光素子が点灯するまでの時間が短いほど、点灯順序が次の発光素子の点灯時間が長くなるように点灯時間を補正する請求項１記載の露光装置。
【請求項３】
前記複数の発光素子のそれぞれの発光特性に応じた値を格納する格納手段をさらに備え、
前記点灯制御手段は、前記格納手段に格納された値と実現しようとする露光量とに基づいた点灯時間で、前記複数の発光素子をそれぞれ点灯する制御を行う請求項１又は２記載の露光装置。
【請求項４】
前記補正手段は、点灯順序が直前の発光素子が消灯してから点灯順序が次の発光素子が点灯するまでの時間と、点灯時間を補正するための補正量とを対応させて記憶する補正量記憶手段を備え、
前記補正手段は、点灯順序が直前の発光素子が消灯してから点灯順序が次の発光素子が点灯するまでの時間を算出して、算出された時間に対応する補正量を前記補正量記憶手段から取得して、点灯順序が次の発光素子の点灯時間を補正する請求項１から３のいずれか記載の露光装置。
【請求項５】
前記点灯制御手段は、前記複数の発光素子を２つの発光素子単位で順次点灯させるよう制御を行い、
前記補正手段は、同じタイミングで点灯制御が行われる２つの発光素子のうち、一方の発光素子が点灯される場合、他方の発光素子の点灯時間が長くなるように補正する請求項１から４のいずれか記載の露光装置。
【請求項６】
前記補正手段は、点灯する一方の発光素子の点灯時間が短いほど、他方の発光素子の点灯時間が長くなるように点灯時間を補正する請求項５記載の露光装置。
【請求項７】
複数の発光素子と、前記複数の発光素子のそれぞれの発光特性に応じた点灯時間で、入力された画像データの各画素の値に基づいて前記発光素子を順次点灯又は消灯させる制御を行う点灯制御手段とを備え、前記点灯制御手段は、同一信号線に接続された複数の発光素子のうち点灯順序が直前の発光素子が消灯してから、点灯順序が次の発光素子が点灯するまでの時間に応じて、点灯順序が次の発光素子の点灯時間を補正する補正手段を有する露光装置と、
前記露光装置により露光された像担持体上の静電潜像を現像する現像装置と、
前記現像装置により現像された前記像担持体上の画像を記録媒体上に転写する転写手段と、
を備えた画像形成装置。
【請求項８】
前記露光装置では、前記点灯制御手段は、前記複数の発光素子を２つの発光素子単位で順次点灯させるよう制御を行い、
前記補正手段は、同じタイミングで点灯制御が行われる２つの発光素子のうち、一方の発光素子が点灯される場合、他方の発光素子の点灯時間が長くなるように補正する請求項７記載の画像形成装置。
【請求項９】
複数の発光素子のそれぞれの発光特性に応じた点灯時間で、入力された画像データの各画素の値に基づいて前記発光素子を順次点灯又は消灯させる制御を行う点灯制御ステップと、
同一信号線に接続された複数の発光素子のうち点灯順序が直前の発光素子が消灯してから、点灯順序が次の発光素子が点灯するまでの時間に応じて、点灯順序が次の発光素子の点灯時間を補正する補正ステップとをコンピュータに実行させるためのプログラム。
【発明の詳細な説明】
【技術分野】
【０００１】
本発明は、露光装置、画像形成装置およびプログラムに関する。
【背景技術】
【０００２】
特許文献１には、発光素子の寄生容量の充放電時間が長いとＬＥＤ駆動電流の立ち上がり時間が変動して実質的な駆動電流パルス幅が変化してしまうため、駆動用ＭＯＳトランジスタに印刷する電圧を調整するための回路の抵抗値を小さくするようにしたＬＥＤ駆動回路が開示されている。
【先行技術文献】
【特許文献】
【０００３】
【特許文献１】特開２０１２−７６２７４号公報
【発明の概要】
【発明が解決しようとする課題】
【０００４】
電子写真方式のプリンタでは、帯電された感光体を露光装置により露光して静電潜像を形成し、この静電潜像をトナー等の色材により現像して得られた画像を印刷用紙等の記録媒体に転写して定着することにより画像形成が行われる。
【０００５】
そして、この露光装置の発光装置として、レーザ光を走査させて感光体を露光するような方式が広く用いられていた。しかし、近年ではレーザ光の替りに、ＬＥＤ等の複数の発光素子が配列されたＬＰＨ（LED Print Head）と呼ばれる方式の露光装置が用いられるようになっている。
【０００６】
このようなＬＰＨを用いて露光装置を構成した場合、ＬＥＤ等の発光素子を１ラインの画素数分配列必要がある。そして、１ラインの画素数が例えば、１５、０００の場合、この発光素子のそれぞれに信号線を配線したのでは、１５、０００本の信号線をＬＰＨに接続する必要がある。
【０００７】
しかし、ＬＰＨに接続可能な信号線の数にも限度があるため、１本の信号線に複数の発光素子を接続して、複数の発光素子を時分割で駆動する時分割駆動方式が採用されている。
【０００８】
そのため、１本の信号線に数多くの発光素子が接続されることにより信号線と電源ラインとの間には無視できない寄生容量が発生してしまう。その結果、この寄生容量の影響により、発光素子の発光量は点灯直後とある程度時間経過してからでは変化する。そのため、各発光素子の露光量が、発光量と点灯時間の単純な積では算出できなくなる。
【０００９】
また、印刷速度を高速にすると、点灯順序が直前の発光素子が消灯してから次の発光素子が点灯するまでの時間が短くなり、寄生容量の電荷が完全に充放電されない状態で次の発光素子の点灯制御が行われるような場合も発生する。
【００１０】
さらに、各発光素子の発光特性にもばらつきがあり、それぞれの発光強度も差異が発生する。そのため、各発光素子の発光特性に基づく補正係数を予め記憶しておき、必要な露光量を実現するための点灯時間を発光素子毎に算出するような制御が行われている。このような制御が行われることにより、点灯順序が直前の発光素子が消灯してから次の発光素子が点灯するまでの時間も発光素子毎に異なる。
【００１１】
このような理由により、単に各発光素子の発光特性に応じて点灯時間の長さを制御しただけでは、各発光素子の露光量のばらつきを抑制することができない。
【００１２】
本発明の目的は、複数の発光素子の点灯制御を順次行う際に発生する、寄生容量の影響による各発光素子の露光量のばらつきを抑制することが可能な露光装置、画像形成装置およびプログラムを提供することである。
【課題を解決するための手段】
【００１３】
［露光装置］
請求項１に係る本発明は、複数の発光素子と、
前記複数の発光素子のそれぞれの発光特性に応じた点灯時間で、入力された画像データの各画素の値に基づいて前記発光素子を点灯又は消灯させる制御を順次行う点灯制御手段とを備え、
前記点灯制御手段は、
同一信号線に接続された複数の発光素子のうち点灯順序が直前の発光素子が消灯してから、点灯順序が次の発光素子が点灯するまでの時間に応じて、点灯順序が次の発光素子の点灯時間を補正する補正手段を有する露光装置である。
【００１４】
請求項２に係る本発明は、前記補正手段が、点灯順序が直前の発光素子が消灯してから点灯順序が次の発光素子が点灯するまでの時間が短いほど、点灯順序が次の発光素子の点灯時間が長くなるように点灯時間を補正する請求項１記載の露光装置である。
【００１５】
請求項３に係る本発明は、前記複数の発光素子のそれぞれの発光特性に応じた値を格納する格納手段をさらに備え、
前記点灯制御手段は、前記格納手段に格納された値と実現しようとする露光量とに基づいた点灯時間で、前記複数の発光素子をそれぞれ点灯する制御を行う請求項１又は２記載の露光装置である。
【００１６】
請求項４に係る本発明は、前記補正手段が、点灯順序が直前の発光素子が消灯してから点灯順序が次の発光素子が点灯するまでの時間と、点灯時間を補正するための補正量とを対応させて記憶する補正量記憶手段を備え、
前記補正手段は、点灯順序が直前の発光素子が消灯してから点灯順序が次の発光素子が点灯するまでの時間を算出して、算出された時間に対応する補正量を前記補正量記憶手段から取得して、点灯順序が次の発光素子の点灯時間を補正する請求項１から３のいずれか記載の露光装置である。
【００１７】
請求項５に係る本発明は、前記点灯制御手段が、前記複数の発光素子を２つの発光素子単位で順次点灯させるよう制御を行い、
前記補正手段は、同じタイミングで点灯制御が行われる２つの発光素子のうち、一方の発光素子が点灯される場合、他方の発光素子の点灯時間が長くなるように補正する請求項１から４のいずれか記載の露光装置である。
【００１８】
請求項６に係る本発明は、前記補正手段が、点灯する一方の発光素子の点灯時間が短いほど、他方の発光素子の点灯時間が長くなるように点灯時間を補正する請求項５記載の露光装置である。
【００１９】
[画像形成装置]
請求項７に係る本発明は、複数の発光素子と、前記複数の発光素子のそれぞれの発光特性に応じた点灯時間で、入力された画像データの各画素の値に基づいて前記発光素子を順次点灯又は消灯させる制御を行う点灯制御手段とを備え、前記点灯制御手段は、同一信号線に接続された複数の発光素子のうち点灯順序が直前の発光素子が消灯してから、点灯順序が次の発光素子が点灯するまでの時間に応じて、点灯順序が次の発光素子の点灯時間を補正する補正手段を有する露光装置と、
前記露光装置により露光された像担持体上の静電潜像を現像する現像装置と、
前記現像装置により現像された前記像担持体上の画像を記録媒体上に転写する転写手段とを備えた画像形成装置である。
【００２０】
請求項８に係る本発明は、前記露光装置では、前記点灯制御手段は、前記複数の発光素子を２つの発光素子単位で順次点灯させるよう制御を行い、
前記補正手段は、同じタイミングで点灯制御が行われる２つの発光素子のうち、一方の発光素子が点灯される場合、他方の発光素子の点灯時間が長くなるように補正する請求項７記載の画像形成装置である。
【００２１】
[プログラム]
請求項９に係る本発明は、複数の発光素子のそれぞれの発光特性に応じた点灯時間で、入力された画像データの各画素の値に基づいて前記発光素子を順次点灯又は消灯させる制御を行う点灯制御ステップと、
同一信号線に接続された複数の発光素子のうち点灯順序が直前の発光素子が消灯してから、点灯順序が次の発光素子が点灯するまでの時間に応じて、点灯順序が次の発光素子の点灯時間を補正する補正ステップとをコンピュータに実行させるためのプログラムである。
【発明の効果】
【００２２】
請求項１に係る本発明によれば、点灯順序が直前の発光素子が消灯してからの時間に応じて点灯順序が次の発光素子の点灯時間を補正しない場合と比較して、複数の発光素子の点灯制御を順次行う際に発生する、寄生容量の影響による各発光素子の露光量のばらつきを抑制することが可能な露光装置を提供することができる。
【００２３】
請求項２に係る本発明によれば、点灯順序が直前の発光素子が消灯してからの時間に応じて点灯順序が次の発光素子の点灯時間を補正しない場合と比較して、複数の発光素子の点灯制御を順次行う際に発生する、寄生容量の影響による各発光素子の露光量のばらつきを抑制することが可能な露光装置を提供することができる。
【００２４】
請求項３に係る本発明によれば、複数の発光素子をそれぞれの発光特性に応じた点灯時間で点灯させるような制御を行う場合でも、点灯順序が直前の発光素子が消灯してからの時間に応じて点灯順序が次の発光素子の点灯時間を補正しない場合と比較して、複数の発光素子の点灯制御を順次行う際に発生する、寄生容量の影響による各発光素子の露光量のばらつきを抑制することが可能な露光装置を提供することができる。
【００２５】
請求項４に係る本発明によれば、点灯順序が直前の発光素子が消灯してからの時間に応じて点灯順序が次の発光素子の点灯時間を補正しない場合と比較して、各発光素子の露光量のばらつきを抑制することが可能な露光装置を提供することができる。
【００２６】
請求項５に係る本発明によれば、複数の発光素子を２つの発光素子単位で順次点灯させるような点灯制御を行う場合に、２つの発光素子のうちの一方の発光素子の点灯状態に関わらず他方の発光素子の点灯時間を決定する場合と比較して、各発光素子の露光量のばらつきを抑制することが可能な露光装置を提供することができる。
【００２７】
請求項６に係る本発明によれば、複数の発光素子を２つの発光素子単位で順次点灯させるような点灯制御を行う場合に、２つの発光素子のうちの一方の発光素子の点灯状態に関わらず他方の発光素子の点灯時間を決定する場合と比較して、各発光素子の露光量のばらつきを抑制することが可能な露光装置を提供することができる。
【００２８】
請求項７に係る本発明によれば、点灯順序が直前の発光素子が消灯してからの時間に応じて点灯順序が次の発光素子の点灯時間を補正しない場合と比較して、複数の発光素子の点灯制御を順次行う際に発生する、寄生容量の影響による各発光素子の露光量のばらつきを抑制することが可能な画像形成装置を提供することができる。
【００２９】
請求項８に係る本発明によれば、複数の発光素子を２つの発光素子単位で順次点灯させるような点灯制御を行う場合に、２つの発光素子のうちの一方の発光素子の点灯状態に関わらず他方の発光素子の点灯時間を決定する場合と比較して、各発光素子の露光量のばらつきを抑制することが可能な画像形成装置を提供することができる。
【００３０】
請求項９に係る本発明によれば、点灯順序が直前の発光素子が消灯してからの時間に応じて点灯順序が次の発光素子の点灯時間を補正しない場合と比較して、複数の発光素子の点灯制御を順次行う際に発生する、寄生容量の影響による各発光素子の露光量のばらつきを抑制することが可能なプログラムを提供することができる。
【図面の簡単な説明】
【００３１】
【図１】本発明の一実施形態の画像形成装置１０の構成を示す図である。
【図２】図１に示したプリントヘッド１４０の構成を示す図である。
【図３】図２に示した発光装置５０の構成を説明するための図である。
【図４】発光チップ６０の回路構成を示す図である。
【図５】サイリスタの等価回路を示す図である。
【図６】図５に示したサイリスタの等価回路の動作を説明するための図である。
【図７】１枚の印刷用紙に対する印刷処理が行われる場合の印刷イメージを説明するための図である。
【図８】ライン周期と転送周期との関係を説明するための図である。
【図９】３０個の発光チップ６０1〜６０30毎に点灯制御対象の発光サイリスタ（発光素子）が切替えられて行く様子を示す図である。
【図１０】発光装置５０の点灯制御を行うための点灯制御回路８０の構成を示す図である。
【図１１】５１２個の発光サイリスタＬ１〜ｌ５１２が、それぞれの発光特性に応じた点灯時間で点灯するよう制御される様子を説明するための図である。
【図１２】奇数番目の２５６個の発光サイリスタＬ１、Ｌ３、・・・Ｌ５１１のカソードが接続される信号線に発生する寄生容量Ｃｐを説明するための図である。
【図１３】奇数番目の２５６個の発光サイリスタＬ１、Ｌ３、・・・Ｌ５１１のカソードが接続される信号線に発生する寄生容量Ｃｐを説明するための図である。
【図１４】の寄生容量Ｃｐに起因して、発光サイリスタを点灯させてから消灯させた場合の発光強度均一にならない様子を説明するための図である。
【図１５】点灯状態であった発光サイリスタＬ2nをリセット回路７３により消灯させる際の回路動作を説明するための図である。
【図１６】発光サイリスタＬ2nが消灯状態であった場合のリセット回路７３の回路動作を説明するための図である。
【図１７】点灯順序が直前の発光サイリスタが消灯状態であった場合、点灯状態であった場合において、点灯間隔が短い場合と長い場合で発光強度がどのように変化するかを説明するための図である。
【図１８】点灯順序が前の発光サイリスタが消灯状態であった場合と点灯状態であった場合とで、発光サイリスタの点灯時間が変化させた場合の露光量の関係を示す図である。
【図１９】偶数番目の発光サイリスタの点灯制御例を示す図である。
【図２０】補正量計算回路９１の動作を説明するためのフローチャートである。
【図２１】同じタイミングで点灯制御が行われる２つの発光サイリスタＬ１、Ｌ２が共に点灯する場合とＬ１のみ点灯する場合の違いを説明するための図である。
【図２２】補正量計算回路９３の動作を説明するためのフローチャートである。
【発明を実施するための形態】
【００３２】
次に、本発明の実施の形態について図面を参照して詳細に説明する。
【００３３】
図１は、本発明の一実施形態の画像形成装置１０の構成を示す図である。
【００３４】
図１に示すように、画像形成装置１０は、画像読取装置１２、画像形成ユニット１４、中間転写ベルト１６、用紙トレイ１７、用紙搬送路１８、定着器１９及び制御部２０を有する。この画像形成装置１０は、パーソナルコンピュータ（不図示）などから受信した画像データを印刷するプリンタ機能に加えて、画像読取装置１２を用いたフルカラー複写機としての機能、及び、ファクシミリとしての機能を兼ね備えた複合機である。
【００３５】
まず、画像形成装置１０の概略を説明すると、画像形成装置１０の上部には、画像読取装置１２及び制御部２０が配設されている。画像読取装置１２は、原稿に表示された画像を読み取って、制御部２０に対して出力する。制御部２０は、画像読取装置１２から入力された画像データ、又は、ＬＡＮなどのネットワーク回線を介してパーソナルコンピュータ（不図示）等から入力された画像データに対して、階調補正及び解像度補正などの画像処理を施し、画像形成ユニット１４の動作を制御して画像データに基づく画像を生成するような処理を実行する。
【００３６】
画像読取装置１２の下方には、カラー画像を構成する色に対応して、４つの画像形成ユニット１４が配設されている。本実施形態では、黒（Ｋ）、イエロー（Ｙ）、マゼンタ（Ｍ）、シアン（Ｃ）の各色に対応して４つの画像形成ユニット１４Ｋ、１４Ｙ、１４Ｍ、１４Ｃが、中間転写ベルト１６に沿って一定の間隔を空けて水平に配列されている。中間転写ベルト１６は、中間転写体として図中矢印Ａの方向に回動し、これら４つの画像形成ユニット１４Ｋ、１４Ｙ、１４Ｍ、１４Ｃは、制御部２０から入力された画像データに基づいて各色のトナー像を順次形成し、これら複数のトナー像が互いに重ね合わせられるタイミングで中間転写ベルト１６に転写（１次転写）する。なお、各画像形成ユニット１４Ｋ、１４Ｙ、１４Ｍ、１４Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００３７】
用紙搬送路１８は、中間転写ベルト１６の下方に配設されている。用紙トレイ１７から供給された記録用紙３２は、この用紙搬送路１８上を搬送され、上記中間転写ベルト１６上に多重に転写された各色のトナー像が一括して転写（２次転写）され、転写されたトナー像が定着器１９によって定着され、矢印Ｂに沿って外部に排出される。
【００３８】
次に、画像形成装置１０の各構成についてより詳細に説明する。
【００３９】
画像形成ユニット１４Ｋ、１４Ｙ、１４Ｍ、１４Ｃ（像形成手段）は、水平方向に一定の間隔をおいて並列的に配置され、形成する画像の色が異なる他は、ほぼ同様に構成されている。そこで、以下、画像形成ユニット１４Ｋについて説明する。なお、各画像形成ユニット１４の構成は、Ｋ、Ｙ、Ｍ又はＣを付すことにより区別する。
【００４０】
画像形成ユニット１４Ｋは、制御部２０から入力された画像データに応じた露光処理を行って静電潜像を形成するプリントヘッド１４０Ｋと、このプリントヘッド１４０Ｋにより静電潜像が形成される像形成装置１５０Ｋとを有する。
【００４１】
プリントヘッド１４０Ｋは、発光ダイオード（ＬＥＤ）、発光サイリスタ等の複数の発光素子が配列された構成となっており、制御部２０からの画像データの各画素にそれぞれ対応した発光素子の点灯／消灯が制御されて、感光体ドラム１５２Ｋを露光する。
【００４２】
像形成装置１５０Ｋは、矢印Ａの方向に沿って所定の回転速度で回転する像担持体としての感光体ドラム１５２Ｋと、この感光体ドラム１５２Ｋの表面を一様に帯電する帯電装置１５４Ｋと、露光装置により露光された感光体ドラム１５２Ｋ上に形成された静電潜像を現像する現像器（現像装置）１５６Ｋと、クリーニング装置１５８Ｋとから構成されている。感光体ドラム１５２Ｋは、帯電装置１５４Ｋにより一様に帯電され、露光装置を構成するプリントヘッド１４０Ｋにより照射された光により静電潜像が形成される。感光体ドラム１５２Ｋに形成された静電潜像は、現像器１５６Ｋにより黒色（Ｋ）のトナーで現像され、中間転写ベルト１６に転写される。なお、トナー像の転写工程の後に感光体ドラム１５２Ｋに付着している残留トナー及び紙粉等は、クリーニング装置１５８Ｋによって除去される。
【００４３】
他の画像形成ユニット１４Ｙ、１４Ｍ及び１４Ｃも、上記と同様に、イエロー（Ｙ）、マゼンタ（Ｍ）、シアン（Ｃ）の各色のトナー像を形成し、形成された各色のトナー像を中間転写ベルト１６に転写する。
【００４４】
中間転写ベルト１６には、各画像形成ユニット１４Ｋ、１４Ｙ、１４Ｍ、１４Ｃに対向する位置にそれぞれ１次転写ロール１６２Ｋ、１６２Ｙ、１６２Ｍ、１６２Ｃが配設され、感光体ドラム１５２Ｋ、１５２Ｙ、１５２Ｍ、１５２Ｃ上に形成された各色のトナー像は、これらの１次転写ロール１６２により中間転写ベルト１６上に多重に転写される。なお、中間転写ベルト１６に付着した残留トナーは、２次転写位置の下流に設けられたベルト用クリーニング装置１８９のクリーニングブレード又はブラシにより除去される。
【００４５】
用紙搬送路１８上の２次転写位置には、バックアップロール１６８に圧接する２次転写ロール１８６が配設されており、中間転写ベルト１６上に多重に転写された各色のトナー像は、この２次転写ロール１８６による圧接力及び静電気力で記録用紙３２上に２次転写される。各色のトナー像が転写された記録用紙３２は、搬送ベルト１８７、搬送ベルト１８８によって定着器１９へと搬送される。
【００４６】
定着器１９は、上記各色のトナー像が転写された記録用紙３２に対して加熱処理及び加圧処理を施すことにより、トナーを記録用紙３２に溶融固着させる。
【００４７】
次に、図１に示した画像形成装置１０におけるプリントヘッド１４０Ｋ、１４０Ｙ、１４０Ｍ、１４０Ｃ（以降単に１４０として表す）の構成について説明する。
【００４８】
プリントヘッド１４０は、図２に示すように、内部に発光素子が配列された発光装置５０を備えており、回転移動している感光体ドラム１５２に対して画像データに基づく光を照射することにより露光処理を行う。
【００４９】
次に、図２に示した発光装置５０の構成を図３を参照して説明する。発光装置５０は、図３に示されるように、それぞれ複数の発光素子を有する３０個の発光チップ６０1〜６０30と、この発光チップ６０1〜６０30に対して駆動信号を出力する駆動制御回路６１とから構成されている。
【００５０】
本実施形態の発光装置５０では、発光チップ６０1〜６０30は、それぞれ、５１２個の発光素子を備えており、合計で１５３６０個（５１２×３０）の発光素子が１ライン上に配列された構成となっている。
【００５１】
駆動制御回路６１は、制御部２０からの信号を受信して、第１転送信号φ１、第２転送信号φ２、第１点灯開始信号φＷ１、第２点灯開始信号φＷ２、点灯終了信号φＲ、基準電位Ｖsub、グランド電位ＶI1、ＶI2を出力して、発光チップ６０1〜６０30における各発光素子の点灯制御を行っている。
【００５２】
次に、発光チップ６０1〜６０30（以降単に６０として表す）のそれぞれの回路構成を図４に示す。発光チップ６０は、図４に示されるように、シフト回路７１と、複数の発光回路７２と、リセット回路７３とから構成されている。
【００５３】
本実施形態の発光チップ６０では、５１２個の発光サイリスタ（発光素子）Ｌ１〜Ｌ５１２が点灯して光を照射することにより感光体ドラム１５２の露光を行っている。
【００５４】
そして、発光チップ６０では、２つの発光サイリスタを１つの単位として順次点灯／消灯させる点灯制御が行われる構成となっている。例えば、発光サイリスタＬ１、Ｌ２を含む回路が１つの発光回路７２を構成しており、このシフト回路７１は、第１転送信号φ１、第２転送信号φ２のいずれかがロウレベル（以下Ｌと略す。）となる度に、この２つの発光サイリスタを含む発光回路７２を順次発光制御対象として切替える制御を行っている。
【００５５】
発光回路７２は、それぞれ偶数番目と奇数番目の２つの発光サイリスタの点灯制御を行うための回路となっている。そして、発光回路７２では、シフト回路７１の切替え制御により発光制御対象となっている際に、第１点灯開始信号φＷ１により奇数番目の発光サイリスタの点灯制御を行い、第２点灯開始信号φＷ２により偶数番目の発光サイリスタの点灯制御を行うような回路となっている。
【００５６】
なお、リセット回路７３は、発光制御対象となっている発光回路７２がシフト回路７１により切り替わる際に、点灯していた発光サイリスタを消灯するための回路となっている。
【００５７】
ここで、図４に示した発光チップ６０の動作を説明する前にサイリスタの基本動作を説明する。
【００５８】
サイリスタの等価回路を図５に示す。サイリスタは、アノード、カソード及びゲートの各端子を備えており、カソードとゲート間に所定の電圧以上が印加されるとオン状態となりアノードとカソード間が導通するような構造となっている。
【００５９】
そして、サイリスタの等価回路は、図５に示されるように、ＰＮＰ型のトランジスタＴｒ１と、ＮＰＮ型のトランジスタＴｒ２とが接続された回路として表される。
【００６０】
このサイリスタの等価回路の動作を図６を参照して説明する。
【００６１】
このサイリスタの等価回路図に対して、図６(Ａ)に示すように、アノードに３．３Ｖを印加して、カソードを適当な抵抗値を介してグランド電位に接続し、カソードとゲート間に１．８Ｖを印加した場合、トランジスタＴｒ２にはベース電流ＩB2が流れ、このＴｒ２はオン状態となる。
【００６２】
すると、トランジスタＴｒ２のエミッタ−コレクタ間が導通状態となり、トランジスタＴｒ１にもベース電流ＩB1が流れ、このＴｒ１はオン状態となる。
【００６３】
すると、図６（Ｂ）に示すように、トランジスタＴｒ１のエミッタ−コレクタ間も導通状態となり、トランジスタＴｒ１にはコレクタ電流が流れ、このコレクタ電流はトランジスタＴｒ２のベース電流として流れることになる。
【００６４】
そのため、ゲートに印加されていた１．８Ｖの電圧が無くたった場合でも、Ｔｒ１、Ｔｒ２はともにオン状態を継続し、アノードカソード間の導通状態は維持されることになる。
【００６５】
このような状態になると、図６（Ｂ）に示すように、ゲート端子にはアノードに印加されている３．３Ｖに近い電圧が出力される。これは、トランジスタＴｒ１のコレクタエミッタ間飽和電圧はかなり小さい電圧であるためである。そして、カソードには、３．３ＶからトランジスタＴｒ２のベースエミッタ間電圧である１．５Ｖを減じた１．８Ｖの電圧が出力される。
【００６６】
このトランジスタＴｒ２のベースエミッタ間電圧の１．５Ｖは、ＰＮ接合の順方向電圧であり以下の説明ではＶｆとして表現し、約１．５Ｖであるとして説明を行う。
【００６７】
なお、図６（Ａ）に示したような導通状態となったサイリスタでは、アノードに印加されている電圧が無くなるか、カソードとグランド電位との接続を切り離すまで導通状態が維持されることになる。
【００６８】
次に、図４に戻って発光チップ６０の回路動作について説明する。なお、図４に示した発光チップ６０の回路では、基準電位Ｖsubとして３．３Ｖが印加され、転送サイリスタＴ１〜Ｔ２５６、切替サイリスタＳ１〜Ｓ５１２、発光サイリスタＬ１〜Ｌ５１２のアノードに印加されている。また、グランン電位ＶＩ１、ＶＩ２にはともにグランド電位に接続されている。
【００６９】
シフト回路７１は、２５６個の転送サイリスタＴ１〜Ｔ２５６と、２５７個のダイオードＤｓ、Ｄ１〜Ｄ２５６と、抵抗Ｒｔとから構成されている。
【００７０】
シフト回路７１では、初期状態において、第２転送信号φ２が３．３Ｖとなっている。そのため、ダイオードＤｓのカソードには、３．３Ｖから順方向電圧Ｖｆ（１．５Ｖ）だけ低い１．８Ｖが出力され、ダイオードＤ１のカソードには、さらに順方向電圧Ｖｆ（１．５Ｖ）だけ低い０．３Ｖが出力され、ダイオードＤ２のカソードには電圧が出力されない。
【００７１】
このような状態で第１転送信号φ１がＬ（０Ｖ）となると、転送サイリスタＴ１はオン状態となる。ただし、転送サイリスタＴ３のゲートにはオン状態となるために必要な電圧が印加されていないのでオフ状態のままとなる。
【００７２】
そして、サイリスタＴ１がオン状態となったことにより、サイリスタＴ１のゲートは１．８Ｖから３．３Ｖとなり、ダイオードＤ１のカソードも１．８Ｖとなる。
【００７３】
このような状態で第２転送信号φ２がＬ（０Ｖ）となると、転送サイリスタＴ２はオン状態となる。ただし、転送サイリスタＴ４のゲートにはオン状態となるために必要な電圧が印加されていないのでオフ状態のままとなる。その後、第１転送信号φ１が３．３Ｖとなることにより、サイリスタＴ１はオフ状態となる。
【００７４】
このように第１転送信号φ１と第２転送信号φ２が交互にＬに切り替わる毎に、転送サイリスタＴ１〜Ｔ２５６は順次オン状態となっていく。
【００７５】
そして、サイリスタＴ１がオン状態となっている場合、発光サイリスタＬ１、Ｌ２を含む発光回路７２が発光制御対象となり、サイリスタＴ２がオン状態となっている場合、発光サイリスタＬ３、Ｌ４を含む発光回路７２が発光制御対象となる。
【００７６】
例えば、サイリスタＴ１がオン状態となっている場合、サイリスタＴ１のゲートに出力された３．３Ｖの電圧が抵抗素子Ｒｕ、Ｒｂにより分割された電圧が切替サイリスタＳ１のゲートに印加される。このような状態で第１点灯開始信号φＷ１がＬになると、切替サイリスタＳ１がオン状態となり、切替サイリスタＳ１のゲートに３．３Ｖが印加され発光サイリスタＬ１のゲートにも必要な電圧が印加されることになり、発光サイリスタＬ１がオン状態となり点灯状態となる。
【００７７】
同様に、このような状態で第２点灯開始信号φＷ２がＬになると、切替サイリスタＳ２がオン状態となり、切替サイリスタＳ２のゲートに３．３Ｖが印加され発光サイリスタＬ２のゲートにも必要な電圧が印加されることになり、発光サイリスタＬ２がオン状態となり点灯状態となる。
【００７８】
つまり、露光を行う際の画像データの対応画素の値に応じて第１点灯開始信号φ１、第２点灯開始信号φ２を制御することにより、その画素に対して露光するか否かを切替えることが可能となる。
【００７９】
そして、このような状態で露光が行われた後に点灯終了信号φＲがＬになると、点灯状態となっていた発光サイリスタのカソードに接続されていたリセットサイリスタＴＲ１、ＴＲ２がオン状態となり、点灯状態となっていた発光サイリスタのカソードの電圧を１．８Ｖから３．３Ｖとする。そのため、発光状態であった発光サイリスタはオフ状態となる。
【００８０】
このような５１２個の発光サイリスタＬ１〜Ｌ５１２に対する点灯制御が３０個の発光チップ６０1〜６０30において同時に行われることにより、図７に示すような１ライン分の印刷処理が実行される。
【００８１】
つまり、図８に示すように、１ライン周期において、２５６の転送周期により５１２の発光サイリスタＬ１〜Ｌ５１２を２つずつ、シフト回路７１により制御された点灯順序で順次点灯制御することにより１ライン分の１５３６０個（５１２×３０）画素に対する露光処理が実行される。
【００８２】
次に、このように３０個の発光チップ６０1〜６０30毎に点灯制御対象の発光サイリスタ（発光素子）が切替えられて行く様子を図９に示す。
【００８３】
図９（Ａ）では、点灯順序が２番目の発光サイリスタＬ３、Ｌ４の点灯制御が行われた後に、図９（Ｂ）に示すように、点灯順序が３番目の発光サイリスタＬ５、Ｌ６の点灯制御が行われる様子が示されている。
【００８４】
次に、このような発光装置５０の点灯制御を行うための点灯制御回路８０の構成について図１０を参照して説明する。
【００８５】
この図１０に示した点灯制御回路８０は、図１に示した制御部２０内に構成されている。
【００８６】
なお、この点灯制御回路８０と発光装置５０とにより、感光体ドラム１５２を露光する露光装置が実現される。
【００８７】
点灯制御回路８０は、図１０に示されるように、点灯時間補正回路８１と、点灯時間計算回路８２と、点灯時間調整値格納部８３とから構成されている。
【００８８】
また、点灯時間補正回路８１は、補正量計算回路（点灯間隔補正）９１と、点灯間隔補正用の補正量ＬＵＴ（Look Up Table）９２と、補正量計算回路（同時点灯補正）９３と、同時点灯補正用の補正量ＬＵＴ９４と、加算回路９５とから構成されている。
【００８９】
次に、この図１０に示した点灯制御回路８０の動作について説明する。
【００９０】
点灯制御回路８０は、複数の発光サイリスタのそれぞれの発光特性に応じた点灯時間で、入力された画像データの各画素の値に基づいて発光サイリスタを点灯又は消灯させる制御を順次行っている。また、本実施形態の点灯制御回路８０は、複数の発光サイリスタを２つの発光サイリスタ単位で順次点灯させるような制御を行っている。
【００９１】
まず、点灯時間計算回路８２により行われる発光サイリスタ毎の点灯時間制御について説明する。
【００９２】
点灯時間調整値格納部８３は、１５３６０個（５１２×３０）の発光サイリスタのそれぞれの発光特性に応じた点灯時間調整値を格納する。例えば、標準の発光サイリスタの発光強度を１．０とした場合の、各発光サイリスタの発光強度比の値を点灯時間調整値として格納する。
【００９３】
そして、点灯時間計算回路８２では、画像形成の際に必要な露光量と、露光する各画素に対応する画像データを受信して、それぞれの発光サイリスタを点灯させるか否か（点灯／消灯）および、点灯させる場合の点灯時間を計算する。
【００９４】
その際に、点灯時間計算回路８２は、点灯時間調整値格納部８３に格納された点灯時間調整値と実現しようとする露光量とに基づいた点灯時間で、複数の発光サイリスタをそれぞれ点灯する制御を行う。
【００９５】
例えば、点灯時間調整値格納部８３に格納されている点灯時間調整値が０．９の発光サイリスタに対しては、標準の点灯時間に対して０．９倍した点灯時間となるよう点灯時間の計算が行われる。
【００９６】
このように点灯制御回路８０は、点灯時間調整値格納部８３に格納された調整値と、実現しようとする露光量とに基づいた点灯時間で、複数の発光サイリスタをそれぞれ点灯する制御を行う。
【００９７】
このような制御が行われることにより、図１１に示されるように、５１２個の発光サイリスタＬ１〜ｌ５１２は、要求される露光量が同じであるにも関わらず、それぞれの発光特性に応じた点灯時間で点灯するよう制御される。
【００９８】
つまり、それぞれの発光サイリスタの発光特性が異なる場合でも、点灯時間を調整することにより各発光サイリスタによる露光量のばらつきを抑制するような制御が行われる。
【００９９】
ここで、点灯開始から点灯終了まで発光強度が均一であれば、各発光サイリスタによる露光量は発光強度と点灯時間の積により算出される。
【０１００】
しかし、実際の回路上では、発光サイリスタの発光強度は、点灯開始から点灯終了まで均一とならない場合がある。以下にその理由を説明する。
【０１０１】
上記で説明したような複数の発光サイリスタの点灯制御を順次行うような回路構成では、複数の発光サイリスタが同一の信号性に接続されることになる。
【０１０２】
例えば、図１２に示すように、図４に示した回路図では、奇数番目の２５６個の発光サイリスタＬ１、Ｌ３、・・・Ｌ５１１のカソードが１本の信号線に接続されている。
【０１０３】
そのため、このような回路では基準電位Ｖsubと発光サイリスタのカソード間に寄生容量Ｃｐ（容量ＣｐμＦ）が発生する。全ての発光サイリスタが消灯状態の場合には、図１２（Ａ）に示すように、この寄生容量Ｃｐの両端にはそれぞれ３．３Ｖ、０Ｖの電圧が印加され、この端子間電圧３．３Ｖと寄生容量Ｃｐの容量に基づく電荷（３．３×Ｃｐ）が充電される。
【０１０４】
このような状態で、図１２（Ｂ）に示すように、例えば発光サイリスタＬ３が点灯状態となった場合、発光サイリスタＬ３のカソードが１．８Ｖとなることにより、寄生容量の端子間電圧は１．５Ｖ（３．３Ｖ−１．８Ｖ）に減ることになる。
【０１０５】
そのため、寄生容量Ｃｐに充電されていたマイナス電荷はオン状態となった発光サイリスタＬ３を介して放電（ディスチャージ）される。つまり、発光サイリスタＬ３から寄生容量Ｃｐに対して充電電流が流れることになる。この際の充電の時定数は、発光サイリスタＬ３のオン抵抗と、Ｃｐの積となる。
【０１０６】
なお、図１２では、奇数番目の発光サイリスタＬ１、Ｌ３、・・・、Ｌ５１１のカソードが接続された信号線を用いて説明するが、偶数番目の発光サイリスタＬ２、Ｌ４、・・・、Ｌ５１２のカソードが接続された信号線でも同様な現象が発生する。
【０１０７】
なお、この後発光サイリスタＬ３が消灯状態になると、図１３に示すように、寄生容量Ｃｐの端子電圧は０Ｖとなり、グランド電位ＶI1経由で、電流制限抵抗ＲＩと寄生容量Ｃｐの積により算出される時定数で、寄生容量Ｃｐに対する電荷の充電（チャージ）が行われることになる。
【０１０８】
この図１２、図１３に示したような回路動作に起因して、発光サイリスタを点灯させてから消灯させた場合の発光強度は図１４に示すように均一にはならず、点灯開始直後に大きな値となり時間経過に伴い徐々に一致値に収束していくようなパターン形状となる。
【０１０９】
そして、図１４に示した発光強度の時間変化波形における総面積が露光量となる。なお、点灯開始直後の大きなつののような形状の部分（ハッチング間隔が広い領域）は、図１２に示した寄生容量Ｃｐから放電される電荷により流れる電流に起因した発光強度の増加分を示している。
【０１１０】
このように発光サイリスタの露光量は、その発光サイリスタの発光特性に基づく発光強度と点灯時間により単純に決定されるわけではない。
【０１１１】
さらに、印刷速度が高速になることにより、２つの発光サイリスタの点灯制御を順次行う周期である転送周期が短くなった場合、上記で説明した寄生容量Ｃｐの充放電が十分に行われない状態で、点灯順序が次の発光サイリスタの点灯制御が行われることになる。
【０１１２】
そのため、点灯順序が前の発光サイリスタが点灯状態であったか否かや、点灯順序が前の発光サイリスタが消灯状態となってから経過した時間（点灯間隔）により、図１４に示したような発光強度の時間変化波形も変ってくる場合がある。
【０１１３】
このような現象を説明する前に、点灯状態であった発光サイリスタをリセット回路７３により消灯させる際の回路動作を図１５を参照して説明する。
【０１１４】
例えば、図１５を参照して、点灯状態であった偶数番目の発光サイリスタＬ2nを消灯させる場合のリセット回路７３により消灯させる際の動作を説明する。
【０１１５】
図１５に示されるように、発光サイリスタＬ2nが点灯状態であった場合、発光サイリスタＬ2nのカソードには１．８Ｖの電圧が印加されている。そのため、点灯終了信号φＲがＬになった場合、リセットサイリスタＴR2のゲートにも１．８Ｖの電圧が印加されていることにより、このリセットサイリスタＴR2はオン状態となる。そのため、リセットサイリスタＴR2のゲートの電圧は、基準電位である３．３Ｖとなり、発光サイリスタＬ2nのカソードも３．３Ｖとなる。
【０１１６】
これに対して、発光サイリスタＬ2nが消灯状態であった場合のリセット回路７３の回路動作を図１６を参照して説明する。
【０１１７】
図１６に示されるように、発光サイリスタＬ2nが消灯状態であった場合、発光サイリスタＬ2nのカソードは０Ｖとなっている。そのため、点灯終了信号φＲがＬになった場合でも、リセットサイリスタＴR2のゲートも０Ｖであることにより、このリセットサイリスタＴR2はオフ状態のままとなる。そのため、発光サイリスタＬ2nのカソードも０Ｖのままであり変動しない。
【０１１８】
このように点灯状態であった発光サイリスタを消灯させた場合には、その発光サイリスタのカソード電圧は一旦３．３Ｖになるため、この信号線に接続された寄生容量Ｃｐの両端電圧は０Ｖになり充電されていた電荷は０となる。
【０１１９】
これに対して、消灯状態であった発光サイリスタに対しては、リセット回路７３は動作を行わないため、この信号線に接続された寄生容量Ｃｐの両端電圧は３．３Ｖのままであり充電されていた電荷は保持され続けられることとなる。
【０１２０】
次に、点灯順序が直前の発光サイリスタが消灯状態であった場合、点灯状態であった場合において、点灯順序が直前の発光サイリスタが消灯してから次の発光サイリスタが点灯するまでの時間間隔（点灯間隔）が短い場合と長い場合で発光強度がどのように変化するかを図１７を参照して説明する。
【０１２１】
図１７（Ａ）、図１７（Ｂ）、図１７（Ｃ）は、点灯順序が前の発光サイリスタが消灯状態であった場合の発光強度変化を示すグラフであり、図１７（Ｄ）、図１７（Ｅ）、図１７（Ｆ）は、点灯順序が前の発光サイリスタが消灯状態であった場合の発光強度変化を示すグラフである。
【０１２２】
そして、図１７（Ａ）、図１７（Ｂ）、図１７（Ｃ）、および図１７（Ｄ）、図１７（Ｅ）、図１７（Ｆ）は、それぞれ、この順番で点灯間隔が長くなった場合の発光強度変化を示したグラフである。
【０１２３】
図１７（Ａ）、図１７（Ｂ）、図１７（Ｃ）を参照すると分かるように、点灯順序が前の発光サイリスタが消灯状態であった場合、点灯順序が次の発光サイリスタの点灯開始までに十分な時間が経過していることにより寄生容量Ｃｐへの電荷のチャージも完了しており、点灯間隔の差により点灯開始直後の発光強度変化は同じ形状となっているのが分かる。
【０１２４】
これに対して、図１７（Ｄ）、図１７（Ｅ）、図１７（Ｆ）を参照すると分かるように、点灯順序が前の発光サイリスタが点灯状態であった場合、点灯状態を消灯させるために寄生容量Ｃｐの電荷は一旦全部放電され電荷量が０となっている。そのため、寄生容量Ｃｐへの充電が完全に終了する前に点灯順序が次の発光サイリスタの点灯が開始されており、点灯間隔の長さに応じて点灯直後の発光強度変化が様々な形状となっているのが分かる。
【０１２５】
具体的には、図１７（Ｄ）では、点灯順序が次の発光サイリスタの点灯時間が長く設定されているため、前の発光サイリスタが消灯してからの時間間隔が短くなっており、寄生容量Ｃｐへの充電量が少なく点灯開始直後であっても発光強度が大きくなっていない。
【０１２６】
これに対して図１７（Ｆ）では、点灯順序が次の発光サイリスタの点灯時間が短く設定されているため、前の発光サイリスタが消灯してからの時間間隔が長くなっており、寄生容量Ｃｐへの充電量も多いため、点灯開始直後の発光強度の増加分は大きくなっているのが分かる。
【０１２７】
このように点灯順序が前の発光サイリスタが消灯状態であった場合と点灯状態であった場合とで、発光サイリスタの点灯時間が変化させた場合の露光量の関係を図１８に示す。
【０１２８】
図１８に示すそれぞれのプロットは、図１７（Ａ）〜図１７（Ｄ）に対応しており、点灯順序が前の発光サイリスタが点灯状態であった場合に点灯時間を長くしても、点灯順序が前の発光サイリスタが消灯状態であった場合と比較して、露光量が直線的に変化していないことが分かる。なお、この図１８は、あくまでも本実施形態の回路動作のメカニズムを模式的に説明するためのものであり実際の測定データではない。
【０１２９】
このような理由により、指定された露光量を単に点灯時間と発光強度だけで調整したのでは、画素毎の露光量のばらつきを抑制することが困難である。
【０１３０】
そのため、図１０に示した点灯制御回路８０では、補正量計算回路９１、補正量ＬＵＴ９２により、点灯時間計算回路８２により計算された点灯時間情報を補正することにより、画素毎の露光量のばらつきを抑制するようにしている。
【０１３１】
補正量計算回路９１は、同一信号線に接続された複数の発光サイリスタのうち点灯順序が直前の発光サイリスタが消灯してから、点灯順序が次の発光サイリスタを点灯するまでの時間（点灯間隔：ＴＴ）に応じて、点灯順序が次の発光サイリスタの点灯時間を補正するための補正量を計算する。
【０１３２】
具体的には、補正量計算回路９１は、点灯順序が直前の発光サイリスタが消灯してから点灯順序が次の発光サイリスタを点灯するまでの時間が短いほど、点灯順序が次の発光サイリスタの点灯時間が長くなるように点灯時間を補正するための補正量を計算する。
【０１３３】
補正量ＬＵＴ９２は、点灯順序が直前の発光サイリスタが消灯してから点灯順序が次の発光サイリスタが点灯するまでの時間である点灯間隔ＴＴと、点灯時間を補正するための補正量とを対応させて記憶する。
【０１３４】
そして、補正量計算回路９１は、点灯順序が直前の発光サイリスタが消灯してから点灯順序が次の発光サイリスタが点灯するまでの時間（点灯間隔：ＴＴ）を算出して、算出された時間に対応する補正量を補正量ＬＵＴ９２から取得して、点灯順序が次の発光サイリスタの点灯時間を補正するための補正量を計算する。
【０１３５】
そして、加算回路９５により、点灯時間計算回路８２により計算された点灯時間情報に、補正量計算回路９１により算出された補正量が加算されて、点灯時間（点灯パルス幅）データとして出力される。
【０１３６】
例えば、点灯時間計算回路８２により計算された点灯時間情報が、標準の点灯時間に対して０．９という値であり、補正量計算回路９１により計算された補正量が０．２という値であった場合、加算回路９５では、０．９に０．２が加算された１．１という値が点灯時間データとして出力される。
【０１３７】
次に、本実施形態の補正量計算回路９１の動作の詳細を説明する。
【０１３８】
先ず、図１９を参照して、転送周期、点灯時間（ＴＬ）と点灯間隔（ＴＴ）との関係を説明する。図１９は、偶数番目の発光サイリスタの点灯制御例を示す図である。
【０１３９】
図１９に示されるように、発光サイリスタの点灯制御が行われる時間間隔である転送周期は、発光サイリスタの発光特性等に関係なく一定の値となっている。そのため、この転送周期から点灯時間（ＴＬ）を減算した時間が、点灯順序が前の発光サイリスタが消灯してから次の発光サイリスタが点灯するまでの間隔である点灯間隔（ＴＴ）となる。
【０１４０】
次に、補正量計算回路９１の動作を図２０のフローチャートを参照して説明する。
【０１４１】
先ず、補正量計算回路９１は、点灯順序が直前の発光サイリスタが点灯状態であったか否かを判定する（ステップＳ１０１）。そして、点灯順序が直前の発光サイリスタが点灯状態ではなかった場合、つまり消灯状態であった場合、寄生容量Ｃｐへの電荷の充電は完了しているため、補正量計算回路９１は、補正量を０として出力する（ステップＳ１０２）。
【０１４２】
そして、点灯順序が直前の発光サイリスタが点灯状態であった場合（ステップＳ１０１においてｙｅｓ）、寄生容量Ｃｐへの電荷の充電が完了していない可能性が高いため、補正量計算回路９１は、転送周期から点灯時間ＴＬを減じることにより点灯間隔ＴＴを算出する（ステップＳ１０３）。
【０１４３】
そして、補正量計算回路９１は、算出された点灯間隔ＴＴに対応する補正量を補正量ＬＵＴ９２から取得し（ステップＳ１０４）、取得した補正量を出力する（ステップＳ１０５）。
【０１４４】
次に、補正量計算回路９３と補正量ＬＵＴ９４による、同時点灯補正について説明する。
【０１４５】
先ず、同じタイミングで点灯制御が行われる２つの発光サイリスタＬ１、Ｌ２が共に点灯する場合とＬ１のみ点灯する場合の違いを図２１を参照して説明する。
【０１４６】
同じタイミングで点灯制御が行われる２つの発光サイリスタＬ１、Ｌ２は隣接して設けられることが多いため、基準電位Ｖsubに接続される際に共通の配線パターンにより接続される可能性が高い。このような場合、図２１に示されるように、２つの発光サイリスタＬ１、Ｌ２のアノードと基準電位Ｖsubとの間には、配線抵抗Ｒｐが発生する。
【０１４７】
ここで、発光サイリスタＬ１、Ｌ２が点灯する際に流れる電流をそれぞれＩ１、Ｉ２とする。すると、発光サイリスタＬ１、Ｌ２が共に点灯する場合、図２１（Ａ）に示されるように、発光サイリスタＬ１、Ｌ２に印加される電圧は基準電位ＶsubからＲｐ×（Ｉ１＋Ｉ２）だけ電圧降下する。
【０１４８】
しかし、発光サイリスタＬ１のみが点灯する場合、図２１（Ｂ）に示されるように、発光サイリスタＬ１に印加される電圧は基準電位ＶsubからＲｐ×Ｉ１だけ電圧降下する。
【０１４９】
つまり、発光サイリスタＬ１にとっては、同じタイミングで点灯制御が行われる発光サイリスタＬ２が点灯する場合と、点灯しない場合とで印加される電圧が異なってしまう。
【０１５０】
具体的には、光サイリスタＬ１にとっては、同じタイミングで点灯制御が行われる発光サイリスタＬ２が点灯しない場合の方が、アノードに印加される電圧がＲｐ×Ｉ２分だけ高くなる。
【０１５１】
そのため、補正量ＬＵＴ９４は、発光サイリスタの点灯時間ＴＬと、点灯時間ＴＬを補正するための補正量とを対応させて記憶する。
【０１５２】
そして、補正量計算回路９３は、同じタイミングで点灯制御が行われる他方の発光サイリスタが点灯される場合、一方の発光サイリスタの点灯時間ＴＬに応じた補正量を補正量ＬＵＴ９４から取得して出力する。
【０１５３】
つまり、点灯時間補正回路８１は、同じタイミングで点灯制御が行われる２つの発光サイリスタのうち、一方の発光サイリスタが点灯される場合、他方の発光サイリスタの点灯時間ＴＬが長くなるような補正を行う。ここで、補正行計算回路９３は、点灯する一方の発光サイリスタの点灯時間ＴＬが短いほど、他方の発光サイリスタの点灯時間ＴＬが長くなるような補正量を出力する。そのため、点灯時間補正回路８１は、点灯する一方の発光サイリスタの点灯時間ＴＬが短いほど、他方の発光サイリスタの点灯時間ＴＬが長くなるように点灯時間を補正する。
【０１５４】
次に、補正量計算回路９３の動作を図２２のフローチャートを参照して説明する。
【０１５５】
先ず、補正量計算回路９３は、点灯順序が同じ発光サイリスタが点灯されるか否かを判定する（ステップＳ２０１）。そして、点灯順序が同じ発光サイリスタが点灯されない場合、補正量計算回路９３は、同時点灯補正は不要であると判定して補正量を０として出力する（ステップＳ２０２）。
【０１５６】
そして、点灯順序が同じ発光サイリスタが点灯される場合（ステップＳ２０１においてｙｅｓ）、補正量計算回路９３は、点灯時間ＴＬに応じた補正量を補正量ＬＵＴ９４から取得し（ステップＳ２０３）、取得した補正量を出力する（ステップＳ２０４）。
【０１５７】
[変形例]
上記実施形態では、発光サイリスタを発光素子として使用した場合を用いて説明したが、本発明はこれに限定されるものではなく、発光ダイオード等の他の素子を発光素子として使用する場合でも同様に本発明を適用することができるものである。
【符号の説明】
【０１５８】
１０    画像形成装置
１２    画像読取装置
１４Ｙ、１４Ｍ、１４Ｃ、１４Ｋ    画像形成ユニット
１６    中間転写ベルト
１７    用紙トレイ
１８    用紙搬送路
１９    定着器
２０    制御部
３２    記録用紙
５０    発光装置
６０1〜６０30    発光チップ
６１    駆動制御回路
７１    シフト回路
７２    発光回路
７３    リセット回路
８０    点灯制御回路
８１    点灯時間補正回路
８２    点灯時間計算回路
８３    点灯時間調整値格納部
９１    補正量計算回路（点灯間隔補正）
９２    補正量ＬＵＴ
９３    補正量計算回路（同時点灯補正）
９４    補正量ＬＵＴ
９５    加算回路
１４０Ｋ    プリントヘッド
１５０Ｋ    像形成装置
１５２Ｋ、１５２Ｙ、１５２Ｍ、１５２Ｃ    感光体ドラム
１５４Ｋ    帯電装置
１５６Ｋ    現像器
１５８Ｋ    クリーニング装置
１６２Ｋ、１６２Ｙ、１６２Ｍ、１６２Ｃ    １次転写ロール
１６４    ドライブロール
１６５、１６６、１６７    アイドルロール
１６８    バックアップロール
１８９    クリーニング装置
１６８    バックアップロール
１８１    給紙ローラ
１８６    ２次転写ロール
１８７、１８８    搬送ベルト
【図１】
2018030319.tif 000003
【図２】
2018030319.tif 000004
【図３】
2018030319.tif 000005
【図４】
2018030319.tif 000006
【図５】
2018030319.tif 000007
【図６】
2018030319.tif 000008
【図７】
2018030319.tif 000009
【図８】
2018030319.tif 000010
【図９】
2018030319.tif 000011
【図１０】
2018030319.tif 000012
【図１１】
2018030319.tif 000013
【図１２】
2018030319.tif 000014
【図１３】
2018030319.tif 000015
【図１４】
2018030319.tif 000016
【図１５】
2018030319.tif 000017
【図１６】
2018030319.tif 000018
【図１７】
2018030319.tif 000019
【図１８】
2018030319.tif 000020
【図１９】
2018030319.tif 000021
【図２０】
2018030319.tif 000022
【図２１】
2018030319.tif 000023
【図２２】
2018030319.tif 000024